(57)【要約】【課題】軽量で断面性能設計が容易であり、防蟻・防腐性に富み、品質安定性・施工性が高く、地球環境にも優しい建築物の土台構造を提案する。【解決手段】建物の内部基礎Ｂや外周基礎Ｂ'の上面に沿って配設されたアルミニウム合金製の押出形材からなる土台本体１０，１０'と、土台本体１０，１０'と組み合わされた土台補強体２０，２０'とを備え、土台補強体２０，２０'が少なくとも柱Ｃや間柱Ｃ'の下部に配設された建築物の土台構造である。望ましくは、土台補強体２０，２０'がアルミニウム合金製の押出形材からなる。土台本体１０，１０'は、水平上板部１１によって形成される水平な上面と下向き開口１４とを備えた断面チャンネル形であり、土台本体１０，１０'の下向き開口１４が土台補強体２０，２０'に上から嵌合されることにより、両者が一体化される。【選択図】図１
2006188944.tif 000002
【特許請求の範囲】
【請求項１】
基礎上面に沿って配設されたアルミニウム合金製の押出形材からなる土台本体と、この土台本体と組み合わされた土台補強体とを備え、
前記土台補強体が少なくとも柱下部に配設された、
ことを特徴とする建築物の土台構造。
【請求項２】
前記土台補強体がアルミニウム合金製の押出形材からなることを特徴とする請求項１に記載の建築物の土台構造。
【請求項３】
前記土台本体の継手部に前記土台補強体が配設されたことを特徴とする請求項１又は請求項２に記載の建築物の土台構造。
【請求項４】
前記土台補強体が断面中空部を備えることを特徴とする請求項１乃至請求項３のいずれか一項に記載の建築物の土台構造。
【請求項５】
前記土台本体が前記土台補強体を介してアンカーボルトで前記基礎上面に固定されたことを特徴とする請求項１乃至請求項４のいずれか一項に記載の建築物の土台構造。
【請求項６】
前記土台本体と前記基礎上面との間に複数の土台スペーサが介在され、前記アンカーボルトに前記土台スペーサが嵌装されたことを特徴とする請求項５に記載の建築物の土台構造。
【請求項７】
前記土台スペーサが柱下部及び／又は柱間下部にも配設されたことを特徴とする請求項６に記載の建築物の土台構造。
【発明の詳細な説明】
【技術分野】
【０００１】
本発明は、建築物の土台構造に関する。
【背景技術】
【０００２】
従来の建築物の土台構造では、断面角形の木材を土台としたものが多い。
【発明の開示】
【発明が解決しようとする課題】
【０００３】
しかしながら、従来の木製土台には次のような問題がある。
（１）強度の割に重量が大きいため、建築物の固定荷重が大きくなってしまいコストアップの要因となる。しかも、柱下部等の集中荷重が作用する部位もそうでない部位も一律に同断面としてあるため、必要以上に固定荷重が大きくなっており、材料の無駄も生じている。
（２）白蟻の食害を受けやすく、また、湿気の多い床下空間に面して腐朽しやすい。
（３）吸放湿を繰り返すことにより断面寸法が経年変化するため、建築物にひずみを生じさせる。
（４）比較的重量が大きいため現場での作業性が悪い。
（５）木材乱伐によって環境破壊を引き起こす。
（６）他の工業製品に比べて加工精度が低く寸法の狂いが大きいため、ユニット化が困難で施工性が低い。
【０００４】
本発明はこのような事情に鑑みてなされたものであり、その目的とするところは、軽量で断面性能設計が容易であり、防蟻・防腐性に富み、品質安定性・施工性が高く、地球環境にも優しい建築物の土台構造（以下、単に「土台構造」という。）を提案する点にある。
【課題を解決するための手段】
【０００５】
本発明の請求項１に係る土台構造は、基礎上面に沿って配設されたアルミニウム合金製の押出形材からなる土台本体と、この土台本体と組み合わされた土台補強体とを備え、前記土台補強体が少なくとも柱下部に配設されたことを特徴とする。
【０００６】
かかる土台構造は、強度の割に軽いアルミニウム合金製の押出形材（以下「アルミ押出形材」という。）を土台本体として主要部に用いているため、建築物の固定荷重を従来よりも小さくしてコストダウンを図ることができる。しかも、集中荷重が作用する柱（間柱、たて枠等の鉛直荷重を受ける部材を全て含む。）の下部に土台補強体を配設して土台本体を補強する一方で、集中荷重が作用しない部位には土台補強体を配設しないようにすることにより、必要な部位だけを補強した効率的な部材配置となって、固定荷重をさらに小さくでき、材料の無駄をなくすことができる。また、アルミ押出形材からなる土台本体は、白蟻の食害を受けず、湿気の多い床下空間に面していても腐朽しないため、耐久性に富んだ土台構造を実現できる。また、断面寸法の経年変化がなく、加工精度が高いため、建築物にひずみを生じさせることもない。また、木材に比べて軽量であるため現場作業性が良く、加工精度が高く寸法の狂いがないためユニット化しやすく効率的な施工が可能となる。さらに、木材乱伐によって環境破壊を引き起こすことがなく地球環境に優しい。
【０００７】
本発明の請求項２に係る土台構造は、請求項１に記載の土台構造において、土台補強体がアルミニウム合金製の押出形材からなることを特徴とする。
【０００８】
かかる土台構造は、土台本体だけでなく土台補強体もアルミ押出形材からなるため、より一層軽量で、防蟻・防腐性に富み、品質安定性・施工性が高く、地球環境にも優しい土台構造となる。
【０００９】
本発明の請求項３に係る土台構造は、請求項１又は請求項２のいずれか一項に記載の土台構造において、土台本体の継手部に土台補強体が配設されたことを特徴とする。
【００１０】
かかる土台構造では、従来複雑な構造で形成していた継手形状が土台補強体にて容易に連結され、簡単な作業で強固な土台構造となる。
【００１１】
本発明の請求項４に係る土台構造は、請求項１乃至請求項３のいずれか一項に記載の土台構造において、前記土台補強体が断面中空部を備えることを特徴とする。
【００１２】
かかる土台構造では、土台補強体が断面において中空部を備える形状としたため断面強度が大きくなり、より一層の軽量化を図ることができるとともに、断面性能設計がやりやすくなる。
【００１３】
本発明の請求項５に係る土台構造は、請求項１乃至請求項４のいずれか一項に記載の土台構造において、土台本体が土台補強体を介してアンカーボルトで基礎上面に固定されたことを特徴とする。
【００１４】
かかる土台構造では、構造上大きな外力が集中的に作用するアンカーボルト配設部に土台補強体が配設されているため、より強固な土台構造となる。
【００１５】
本発明の請求項６に係る土台構造は、請求項５に記載の土台構造において、土台本体と基礎上面との間に複数の土台スペーサが介在され、アンカーボルトに土台スペーサが嵌装されたことを特徴とする。
【００１６】
かかる土台構造では、土台本体と基礎上面との間に複数の土台スペーサが介在されているため、土台本体と基礎上面の間に隙間が形成され、床下空間の換気を行うことができる。これにより、比較的長い長さで隙間が形成されるために、基礎に通気孔を形成する必要はない。
【００１７】
本発明の請求項７に係る土台構造は、請求項６に記載の土台構造において、土台スペーサが柱下部及び／又は柱間下部にも配設されたことを特徴とする。
【００１８】
かかる土台構造では、土台スペーサがアンカーボルト配設部のみならず柱下部や柱間下部にも配設されているため、土台本体が安定的に支持される。
【発明の効果】
【００１９】
以上のように、請求項１に係る発明によれば、建築物の固定荷重を従来よりも小さくしてコストダウンを図ることができる。しかも、必要な部位だけを土台補強体で効率的に補強することによって、建築物の固定荷重をさらに小さくできるとともに、材料の無駄をなくすことができる。また、防蟻性・防腐性に富み、品質安定性・施工性が高く、地球環境にも優しい理想的な土台構造を実現することができる。
【００２０】
また、請求項２に係る発明によれば、より一層軽量で、防蟻・防腐性に富み、品質安定性・施工性が高く、地球環境にも優しい土台構造を実現することができる。
【００２１】
また、請求項３に係る発明によれば、構造上の弱点となりがちな土台本体の継手部に土台補強体が配設されて、より強固な土台構造を実現することができる。
【００２２】
さらに、請求項４に係る発明によれば、土台補強体の断面強度が大きくなって、土台構造のより一層の軽量化を図ることができるとともに、断面性能設計がやりやすくなる。
【００２３】
また、請求項５に係る発明によれば、構造上大きな外力が集中的に作用するアンカーボルト配設部に土台補強体が配設されて、より強固な土台構造を実現することができる。
【００２４】
さらに、請求項６に係る発明によれば、土台スペーサが土台本体と基礎上面の間に隙間を形成して、床下空間の換気が行われる。そしてこれにより、基礎に通気孔を形成する必要がなくなる。
【００２５】
さらに、請求項７に係る発明によれば、土台本体が安定的に支持される。
【発明を実施するための最良の形態】
【００２６】
以下、添付図面を参照しつつ、本発明の実施の形態を詳細に説明する。なお、説明において、同一要素には同一の符号を用い、重複する説明は省略するものとする。
【００２７】
図１は、本発明に係る土台構造の一実施形態を表す斜視図である。同図に示すようにこの土台構造は、建築物の内部基礎Ｂの上面に沿って配設された土台本体１０と、土台本体１０に組み合わされた土台補強体２０とを主要部として、また、建築物の外周基礎Ｂ'の上面に沿って配設された土台本体１０'と、土台本体１０'に組み合わされた土台補強体２０'とを主要部として構成されている。
【００２８】
建築物の内部基礎Ｂの上面に配設された土台本体１０は長尺のアルミ押出形材からなり、図２（ａ）に示すように、水平な上面を形成する水平上板部１１と、水平上板部１１の両端近傍から垂下する右側板部１２、左側板部１３とで左右対称の略チャンネル形の断面形状を有している。そして、水平上板部１１、右側板部１２、左側板部１３で囲まれた空間は、土台本体１０の下向き開口１４となっている。
【００２９】
水平上板部１１の両端は、右側板部１２、左側板部１３の外側面よりもそれぞれ僅かに突出した上凸条１５ａとして形成されている。また、右側板部１２、左側板部１３の中間やや下寄り及び下端にはそれぞれ、外側に水平突出する中凸条１５ｂ、下凸条１６が形成されている。そして、右側板部１２又は左側板部１３と上凸条１５ａ、中凸条１５ｂとで形成される外向き凹溝１７には、後述する大引受け金物Ｅが接合されることになる。
【００３０】
一方、土台本体１０と組み合わせられた土台補強体２０は適宜の長さのアルミ押出形材からなり、図２（ｂ）に示すように、水平上板部２１、水平下板部２２と、これらを鉛直方向に連結する右側板部２３、左側板部２４、中間板部２５，２５とで左右対称の略角形の中空断面形状を有している。水平下板部２２の両端は右側板部２３や左側板部２４よりも外側に延出しており、それぞれの先端が上向きに立ち上がるフック状に形成されて、右側板部２３や左側板部２４の外側下部に規制凹溝２６を形成している。
【００３１】
そして、土台本体１０が上から土台補強体２０に被せられて係合することにより、両者は一体化する。具体的には、図２（ｃ）に示すように、土台補強体２０に上から土台本体１０の下向き開口１４が嵌合し、このとき、土台補強体２０の規制凹溝２６に土台本体１０の下凸条１６が嵌合する。したがって、土台本体１０に上からの集中荷重が作用しても、土台補強体２０の中間板部２５，２５があるために土台補強体２０及び土台本体１０が上下方向に潰れにくく、土台補強体２０の規制凹部２６によって土台本体１０の右側板部１２、左側板部１３が外側へ開かないようになっており、両者が一体化した強固な土台構造となっている。
【００３２】
なお、土台本体１０は原則として内部基礎Ｂの上面の全長にわたって配設される。一方、土台補強体２０は、内部基礎Ｂの上面の全長にわたって配設してもよいが、柱Ｃの下部や必要に応じ、柱Ｃの下部と共に間柱Ｃ'の下部等のような上から鉛直方向に集中荷重が作用する部位だけに配設するようにすれば、土台構造全体としての軽量化を図ることができる。また、土台本体１０の継手部や、土台本体１０を内部基礎Ｂに固定するためのアンカーボルトＡの配設部は、大きな外力が作用して構造上の弱点となりがちであるため、これらの部位にも土台補強体２０を配設して土台本体１０を補強することが望ましい。
【００３３】
次に、建築物の外周基礎Ｂ'の上面に配設された土台本体１０'は、前記の土台本体１０と略同様の断面形状を有するが、図３（ａ）に示すように、建物外側（同図において左側）の断面形状が異なっている。つまり土台本体１０'では、土台本体１０の外側の下凸条１６に相当する部分がさらに外向きに延びて外側下板部１８ａとして形成されるとともに、この外側下板部１８ａの先端から上向きに壁当接板部１８ｂが延出している。そして、外側下板部１８ａの先端は段差をもって上にクランク状に形成されており、この段差によって外側下板部１８ａの先端に下向き凹溝１８ｃが形成されている。さらに、外側下板部１８ａには、適宜の間隔で適宜の大きさの外気導入孔１８ｄが穿設されている。土台本体１０'はアルミ押出形材で形成されているため、簡単な加工で外気導入孔１８ｄを形成することができる。
【００３４】
また、土台本体１０'では、土台本体１０の外側の上凸条１５ａに相当する部分がさらに外向きに外側上板部１９ａとして形成されるとともに、この外側上板部１９ａの先端から下向きに壁当接板部１９ｂが延出している。この壁当接板部１９ｂは壁当接板部１８ｂと同一平面上にある。さらに、外側上板部１９ａには、適宜の間隔で適宜の大きさの外気導入孔１９ｃが穿設されている。土台本体１０'はアルミ押出形材で形成されているため、簡単な加工で外気導入孔１９ｃを形成することができる。
【００３５】
一方、土台本体１０'と組み合わせられた土台補強体２０'は、前記の土台補強体２０と略同様の断面形状を有するが、図３（ｂ）に示すように、水平下板部２２の外側先端が土台補強体１０'の壁当接板部１８ｂの外側面まで延びているとともに、土台補強体１０'の下向き凹溝１８ｃに対応する位置に上向きの規制凸条２７が形成されている点がまず異なる。また、規制凸条２７と左側板部２４との間の水平下板部２２には、適宜の間隔で適宜の大きさの外気導入孔２２ａが穿設されている。土台補強体２０'はアルミ押出形材で形成されているため、簡単な加工で外気導入孔２２ａを形成することができる。さらに、右側板部２３と中間板部２５との間に、水平上板部２１、水平下板部２２からそれぞれ溝形成用突条２８ａ，２８ｂが鉛直に延出している。
【００３６】
そして、土台本体１０'と土台補強体２０'との嵌合は、土台本体１０と土台補強体２０との嵌合と同様にしてなされるが、図３（ｃ）に示すように、土台補強体２０'の規制凸条２７に土台本体１０'の下向き凹溝１８ｃが嵌合する点が異なっている。このとき、土台本体１０'の外気導入孔１８ｄと土台補強体２０'の外気導入孔２２ａは合致している。また、土台本体１０'の右側板部１２に対して火打Ｈ（図１参照）がボルト接合される場合には、土台補強体２０'の溝形成用突条２８ａ，２８ｂと右側板部２３との間に、予めボルト孔Jａが穿設された補強鉄板Ｊを挿入して組み込むことにより、当該接合部を補強することが望ましい。
【００３７】
なお、土台本体１０'、土台補強体２０'の配置形態はそれぞれ、前記した土台本体１０、土台補強体２０の配置形態に準ずる。つまり、土台本体１０'は原則として外周基礎Ｂ'の上面の全長にわたって配設され、一方、土台補強体２０'は、外周基礎Ｂ'の上面の全長にわたって配設してもよいが、柱Ｃの下部や必要に応じ、柱Ｃの下部と共に間柱Ｃ'の下部等のような上から鉛直方向に集中荷重が作用する部位だけに配設するようにすれば、土台構造全体としての軽量化を図ることができる。また、土台本体１０'の継手部や、土台本体１０'を外周基礎Ｂ'に固定するためのアンカーボルトＡの配設部には、大きな外力が作用して構造上の弱点となりがちであるため、これらの部位にも土台補強体２０'を配設して土台本体１０'を補強することが望ましい。
【００３８】
続いて、土台本体１０，１０'や土台補強体２０，２０'の納まりを説明する。まず図１に示すように、土台本体１０と内部基礎Ｂの上面との間、土台本体１０'と外周基礎Ｂ'の上面との間には、所定の間隔をもって土台スペーサＳが介在されている。したがって、内部基礎Ｂや外周基礎Ｂ'に床下通気孔を形成せずとも、土台本体１０と内部基礎Ｂとの間、土台本体１０'と外周基礎Ｂ'との間に形成された比較的長い隙間が床下通気孔として機能し、床下空間の換気が行われるようになっている。
【００３９】
また、図４（ｂ）に示すように、土台補強体２０に上から土台本体１０を被せることで合体させる。この際、土台本体１０の右側板部１２、左側板部１３からそれぞれ土台補強体２０の右側板部２３、左側板部２４にセルフタッピングビスＴをねじ込み、土台本体１０と土台補強体２０とを一体化させると施工が容易となる。同様に図４（ａ）に示すように、土台補強体２０'に上から土台本体１０'を被せることで合体させる。この際、土台本体１０'の右側板部１２から土台補強体２０の右側板部２３にセルフタッピングビスＴをねじ込み、土台本体１０'と土台補強体２０'とを一体化させると施工が容易となる。土台の継手部においては土台本体１０、１０'と土台補強体２０、２０'とをセルフタッピングビスＴで固定することが強度維持上さらに好都合である。
【００４０】
また、土台本体１０，１０'はそれぞれ、内部基礎Ｂ、外周基礎Ｂ'に植設されたアンカーボルトＡによって固定されている。たとえば図４（ａ），（ｃ）に示すように、外周基礎Ｂ'に植設されたアンカーボルトＡの上部が土台スペーサＳ、土台補強体２０'、土台本体１０'を縦方向に貫通した状態で、土台本体１０'の水平上板部１１の上面でアンカーボルトＡにナットＮが螺合されている。このように、アンカーボルトＡの配設部に土台補強体２０，２０'や土台スペーサＳを配設して土台本体１０，１０'を補強したことにより、構造上大きな外力が集中的に作用する部位が効果的に補強された強固な土台構造を実現している。
【００４１】
さらに、図４（ｂ），（ｄ）に示すように、土台本体１０の両側には大引受け金物Ｅを介して大引Ｄが接合される。具体的には、土台本体１０の両側の外向き凹溝１７に大引受け金物Ｅの背部板ＥａがセルフタッピングビスＴで留め付けられるとともに、大引受け金物Ｅの背部板Ｅａから突出する二枚の前部板Ｅｂに中空角形断面の大引Ｄの中空部が嵌合され、大引Ｄの両側板と大引受け金物Ｅの前部板ＥｂとがセルフタッピングビスＴで留め付けられている。同様に図４（ａ）に示すように、土台本体１０'の建物内側（同図において右側）にも、大引受け金物Ｅを介して大引Ｄが接合されている。具体的取付方法は、大引Ｄの左右両端の中空部内に大引受け金物Ｅの前部板Ｅｂを挿入し、所定位置に配設した後、大引受け金物Ｅの背部板ＥａをセルフタッピングビスＴで、土台本体１０，１０'に対して、又は土台補強体２０，２０'がある場合は土台補強体２０，２０'と土台本体１０，１０'とにまとめて留め付ける。次に大引Ｄと大引受け金物Ｅの前部板ＥｂとをセルフタッピングビスＴで固定する。
【００４２】
また、図４（ａ）に示すように、土台本体１０の壁当接板部１８ｂ，１９ｂには、柱Ｃの外側面に固定された構造用合板Ｇの下部が当接している。そして、この構造用合板Ｇの下部外側に沿って、水切金物ＭがセルフタッピングビスＴで留め付けられている。このとき、水切金物Ｍには外気導入孔Ｍａが穿設されているので、この外気導入孔Ｍａから土台補強体２０'の外気導入孔２２ａ、土台本体１０'の外気導入孔１８ｄ，１９ｃを通って、壁内通気空間Ｒが外気に連通されている。したがって、土台本体１０'や土台補強体２０'が壁内通気の妨げとならず、壁内結露が有効に防止されるようになっている。
【００４３】
なお、柱Ｃは、図示しない柱受け金物を介して内部基礎Ｂ又は外周基礎Ｂ'の上面に直接設けられる。一方、間柱Ｃ'は、図５に示すように、土台本体１０，１０'の水平上板部１１の上面に、間柱固定金物Ｆを介して固定されている。この間柱固定金物Ｆは、前記の大引受け金物Ｅと略同様の形状であり、土台本体１０，１０'の水平上板部１１の上面に底部板ＦａがセルフタッピングビスＴで留め付けられるとともに、底部板Ｆａから突出する二枚の上部板Ｆｂ，Ｆｂの間に間柱Ｃ'を挟んだ状態で前部板Ｆｂから間柱Ｃ'にセルフタッピングビスＴがねじ込まれている。
【００４４】
前記構成の土台構造では、土台補強体２０，２０'に対して上から土台本体１０，１０'の下向き開口１４が嵌合されるため、土台補強体２０，２０'と土台を容易に施工でき、取付性が向上する。また、土台本体１０，１０'の上面が水平であるため、土台の上面に柱Ｃ等を施工しやすい。
【００４５】
また、かかる土台構造では、土台補強体２０，２０'が断面において中空部を備える形状としたため断面強度が大きくなり、より一層の軽量化を図ることができるとともに、断面性能設計がやりやすくなる。
【００４６】
さらに、かかる土台構造では、土台本体１０，１０'の下向き開口１４を形成する両側板部１２，１３が、土台補強体２０，２０'に形成された規制部２６によって外側へ開くことを規制されているため、特に柱下部のような上からの鉛直方向荷重が集中的に作用する部位においても土台補強体２０，２０'と一体化して断面チャンネル形の土台本体１０，１０'が上下方向に潰れにくい強固な土台構造となる。
【００４７】
また、かかる土台構造では、従来複雑な構造で形成していた継手形状が土台補強体２０，２０'にて容易に連結され、簡単な作業で強固な土台構造となる。したがって、構造上の弱点となりがちな土台本体１０，１０'の継手部に土台補強体２０，２０'が配設されて、より強固な土台構造を実現することができる。
【００４８】
以上、本発明に係る土台構造の一実施形態について説明してきたが、本発明はこれに限定されるものではない。たとえば、土台本体１０，１０'や土台補強体２０，２０'の材質、断面形状、配置形態等について、発明の趣旨に沿った適宜の変更実施が可能であることは言うまでもない。
【図面の簡単な説明】
【００４９】
【図１】本発明に係る土台構造の一実施形態を表す斜視図である。
【図２】（ａ）は建築物の内部基礎の上面に沿って配設される土台本体の断面図であり、（ｂ）は同土台補強体の断面図であり、（ｃ）は両者を嵌合した状態の断面図である。
【図３】（ａ）は、建築物の外周基礎の上面に沿って配設される土台本体の断面図であり、（ｂ）は同土台補強体の断面図であり、（ｃ）は両者を嵌合した状態の断面図である。
【図４】（ａ）は図１のＸ−Ｘ矢視図、（ｂ）は同Ｙ−Ｙ矢視図、（ｃ）は（ａ）のｃ−ｃ矢視図、（ｄ）は（ｂ）のｄ−ｄ矢視図である。
【図５】（ａ）は図１のＺ−Ｚ矢視図であり、（ｂ）は（ａ）の右側面図である。
【符号の説明】
【００５０】
１０，１０'…土台本体
１１…水平上板部
１２…右側板部
１３…左側板部
１４…下向き開口
１５ａ…上凸条
１５ｂ…中凸条
１６…下凸条
１７…外向き凹溝
１８ａ…外側下板部
１８ｂ…壁当接板部
１８ｃ…下向き凹溝
１８ｄ…外気導入孔
１９ａ…外側上板部
１９ｂ…壁当接板部
１９ｃ…外気導入孔
２０，２０'…土台補強体
２１…水平上板部
２２…水平下板部
２２ａ…外気導入孔
２３…右側板部
２４…左側板部
２５…中間板部
２６…規制凹溝
２７…規制凸条
２８ａ，２８ｂ…溝形成用突条
Ａ…アンカーボルト
Ｂ…内部基礎
Ｂ'…外周基礎
Ｃ…柱
Ｃ'…間柱
Ｄ…大引
Ｅ…大引受け金物
Ｅａ…背部板
Ｅｂ…前部板
Ｆ…間柱固定金物
Ｆａ…底部板
Ｆｂ…上部板
Ｇ…構造用合板
Ｈ…火打
Ｊ…補強鉄板
Ｊａ…ボルト孔
Ｍ…水切金物
Ｍａ…外気導入孔
Ｎ…ナット
Ｒ…壁内通気空間
Ｓ…土台スペーサ
Ｔ…セルフタッピングビス
【図１】
2006188944.tif 000003
【図２】
2006188944.tif 000004
【図３】
2006188944.tif 000005
【図４】
2006188944.tif 000006
【図５】
2006188944.tif 000007